(57)【特許請求の範囲】
【請求項１】
身頃が前身頃、後身頃および細腹からなり、袖が外袖と内袖とからなる上衣の製作方法において、パターンにおける袖ぐりの下部を曲線状に窪ませずに直線とし、該直線を細腹の上端とし、前記直線は後身頃側から前身頃側に下向きに傾斜しており、内袖の袖つけ線を前記直線とし、前記細腹または前記内袖から前記直線を含む三角形の部分を取り除き、該三角形部分を前記内袖または前記細腹における直線から延長部として取付けた状態として、細腹および内袖の修正したパターンを作製し、内袖の袖つけ幅が狭くなったために短くなった内袖の袖つけ長さ分を外袖の袖つけ線に付け加えて外袖の修正したパターンを作製し、前身頃および後身頃のパターンとともに修正した細腹、内袖および外袖のパターンに基いて生地を裁断し、縫製することを特徴とする上衣の製作方法。
【発明の詳細な説明】
【技術分野】
【０００１】
本発明は上衣の製作方法に関する。特にテーラードジャケットに適した製作方法に関するものである。
【背景技術】
【０００２】
従来、スポーツ用衣服や作業着等は伸縮性素材を使用するなどにより腕を動かし易く設計されている。しかし、テーラードジャケット等の通常の上着は運動性能を考慮して製作されておらず、挙手する場合などは上着により動作を制限されてしまう。【０００３】
この問題を解決するために、特公平８−６２０１号公報（特許文献１）には、腕の前差出しや上下運動を行い易くした背広型の上衣が提案されている。この特許文献１には、脇身頃と内袖とを連結し一体として裁断した帯状連続布片を設け、この帯状連続布片は水平状の脇下折線Ｌ以下では略短冊形状であり、脇下折線Ｌ以上では中心軸線に対し２０度以下であり、かつ脇巾Ｗが胸回り半身体型寸法の１／４プラス３〜８％の長さであることが開示されている。
【先行技術文献】
【特許文献】
【０００４】
【特許文献１】特公平８−６２０１号公報
【発明の概要】
【発明が解決しようとする課題】
【０００５】
特許文献１に開示された背広型上衣においては、帯状連続布片の脇下折線Ｌが水平であるために、横方向から腕を上方に挙げる動作は行い易いが、脇下折線Ｌ以上では中心軸線に対し傾斜させたにも拘らず、まだ前方向から腕を上方に挙げる動作を行い難いという問題がある。【０００６】
更に、帯状連続布片の脇下折線Ｌの位置および脇巾Ｗが袖ぐりとは関係なく決められており、腕を下ろした状態では袖つけ回りにたるみや皺が出やすく、見た目が悪くなるという問題がある。【０００７】
本発明は、外観は一般的な上衣（例えば、基本的なテーラードジャケット）であり、袖も定型的な外観を有するものであって、このような外観を維持しながらも、腕の前方挙上（腕を前から上に挙げる動作）に適した運動量を有する上衣を提供することを目的とする。
【課題を解決するための手段】
【０００８】
本発明によれば、身頃が前身頃、後身頃および細腹からなり、袖が外袖と内袖とからなる上衣の製作方法において、パターンにおける袖ぐりの下部を曲線状に窪ませずに直線とし、該直線を細腹の上端とし、前記直線は後身頃側から前身頃側に下向きに傾斜しており、内袖の袖つけ線を前記直線とし、前記細腹または前記内袖から前記直線を含む三角形の部分を取り除き、該三角形部分を前記内袖または前記細腹における直線から延長部として取付けた状態として、細腹および内袖の修正したパターンを作製し、内袖の袖つけ幅が狭くなったために短くなった内袖の袖つけ長さ分を外袖の袖つけ線に付け加えて外袖の修正したパターンを作製し、前身頃および後身頃のパターンとともに修正した細腹、内袖および外袖のパターンに基いて生地を裁断し、縫製することを特徴とする上衣の製作方法により前記目的を達成する。
【発明の効果】
【０００９】
本発明によれば、袖ぐりの下部を曲線状に窪ませずに直線として、袖ぐりの最下端位置を従来より上昇させ、その結果、身頃と袖との分岐点を上昇させているので、その分、袖下に運動（腕の前方挙上動作）のためのゆとり分が増加する。【００１０】
しかも、本発明では、前記直線を後身頃側から前身頃側に下向きに傾斜させているので、腕を前から斜め上方に挙げた際の袖における袖下の方向と傾斜方向が整合している。このため、腕を前から斜め上方に挙げる動作が行い易い。【００１１】
また、本発明においては、細腹の上端と内袖の袖つけ線とを同じ幅で直線（袖ぐりの下部となる箇所）として、細腹と内袖とに連続性を持たせるとともに、細腹または内袖から前記直線を含む三角形の部分を取り除き、その三角形部分を内袖または前記細腹における直線から延長部として取付けた状態としてパターンを製作し、このパターンにより生地を裁断・縫製するので、袖ぐり下部には身頃と袖とを縫合する縫い目が存在しない。このため、縫い代の厚みによる着用時の違和感がない。【００１２】
しかも、三角形の延長部は生地の布目に対してバイアスに裁断されるので、三角形の延長部からなる身頃部分または袖部分は伸縮性を有することになり、その結果、腕の前方挙上動作が行い易くなる。【００１３】
また、本発明によれば、内袖の袖つけ幅が狭くなったために短くなった内袖の袖つけ長さ分を外袖の袖つけ線に付け加えて外袖の修正したパターンを作製するので、従来の上衣と同様な外観を有する上衣とすることができる。
【図面の簡単な説明】
【００１４】
【図１】袖ぐり（アームホール）と腕つけ根との関係を説明するための説明図である。
【図２】図２（ａ）は従来の上衣の身頃と袖のパターンを示す平面図、（ｂ）は（ａ）に示した内袖と外袖を縫合した状態を示す平面図である。
【図３】本発明のパターンの一実施例の平面図であり、（ａ）は身頃部、（ｂ）は袖部、（ｃ）は内袖と外袖を組合せた状態を示す。
【図４】外袖の修正パターンを製作するための説明図である。
【図５】図３に示したパターンを図２に示したものと同様に表現したものであり、図５（ａ）は本発明の上衣の身頃と袖のパターンを示す平面図、図５（ｂ）は図５（ａ）に示した内袖と外袖を縫合した状態を示す平面図である。
【図６】図６（ａ）は図３（ａ）、（ｂ）に示した身頃と袖とを重ね合わせて示したもの〔図５（ａ）と同じもの〕であり、（ｂ）、（ｃ）および（ｄ）は細腹と内袖との組合せを示す平面図であり、それぞれ別の実施例を示す。
【発明を実施するための形態】
【００１５】
以下、図面に示した実施例に基いて本発明を詳細に説明する。まず、具体的実施例を説明する前に、本発明に至る本願発明者が行った考察を説明する。
【００１６】
図１に示すように、一般的な袖ぐり（アームホール）の形状としては楕円的な曲線で構成される。この曲線が身頃と袖を分岐させる位置となり、袖ぐり下部においても楕円的曲線である。袖ぐり形状としての楕円形状が縦長（下方に伸長）になるほど身頃と袖の分岐位置も低下し、腕の挙上時に身頃を引き上げ、身頃に崩れを生じさせる。それと同時に、腕の挙上運動そのものに抵抗感を伴うことになる。
【００１７】
実際の人体における腕部分の断面は、腕付け根下部は上記のような楕円構造を必要としない形状である。従って、袖ぐり下部を基本的な楕円と考えた時の最下点よりも、袖ぐり下部を直線として扱うことにより、袖ぐり最下点をより高めに設定することが可能になる。一方、袖ぐり下部を直線にした場合でも、腕付け根下部の後腋窩点以下にする必要がある。このように考えれば、袖ぐり下部は曲線で在る必要はなく、図１において、後腋窩点の水平位と袖ぐり下部の曲線との間の斜線部分は、従来は身頃より抜き取っていたが、身頃より抜き取る必然性はない。
【００１８】
このように、袖ぐり下部を従来の曲線から直線に置き換えることが可能であり、その結果、身頃と袖の分岐点を上昇させることができる。それにより、前述したような腕の挙上時に身頃を引き上げ、身頃に崩れを生じさせ、腕の挙上運動そのものに抵抗感を与える等の現象の解消に寄与することが可能となる。
【００１９】
脇部分を身頃と袖が連続した１枚の布として、袖ぐり下部の直線を水平に設定することは、腕の前方挙上という面からは不適切である。
【００２０】
また、人体の前後の腋点の関係に準拠した状態で、袖ぐり下部の直線の前身頃側を高く、後身頃側を低く、斜めに設定すると、袖の下面は後方向に傾き、腕の前方挙上とは反対方向となり、袖の方向性の面から不的確と判断できる。
【００２１】
従って、袖ぐり下部の直線は、前身頃側を低く、後身頃側を高く、すなわち、後身頃側から前身頃側に下向きに傾斜させて設定する必要がある。この傾きが腕の主たる運動方向との整合性を生むことになる。図１に示した袖ぐりは、説明のために、その下部を除いては腕つけ根にフィットした状態で示したが、実際の衣服においては袖ぐりは腕つけ根回りに、上下方向のみならず、前後方向にもゆとりを持たせた状態で製作される。このため、袖ぐり下部の直線は、後身頃側の端部は後腋窩点よりもある程度高くしても、前身頃側に下向きに傾斜させることにより、袖ぐり下部の直線は後腋窩点に当たらない。
【００２２】
袖ぐり下部を直線にし、人体での胴と腕の分岐位置に近づけることはその位置が高くなるほど、身頃と袖とを縫合する縫い代の端位置が上昇することになり、縫い代端縁が腋の下に当たることによる、着用時の違和感、抵抗感、異物感を伴うことが懸念される。従って袖ぐり下部のこの直線部分は縫い目を設けない構造とすることが望ましい。そのため、身頃の一部を袖側下面の面積として延長するか、或いは袖下面が脇身頃の一部として連続する関係とすることが好ましい。
【００２３】
図２（ａ）は従来の上衣の身頃と袖のパターンを示す平面図であり、身頃部は前身頃１、後身頃２および細腹３とからなり、袖ぐりは全体に湾曲しており、前身頃１と後身頃２の肩線を縫合すると、前述したように略楕円形の袖ぐりが前身頃１、後身頃２および細腹３により形成される。袖部は分かり易くするために黒色で示しており、外袖４と内袖５からなる。外袖４と内袖５とを縫合すると、（ｂ）に示したように筒状の袖となり、上端の袖つけ線に沿って身頃の袖ぐりに縫い合わされる。縫い合わす際の合い印が図に記入されている。
【００２４】
図３は本発明のパターンの一実施例の平面図であり、図３（ａ）に示すように、身頃部は前身頃１、後身頃２および細腹３とからなる。図３（ａ）では細腹３の上部は既に切取られた状態で示しているので、切取り前の細腹３の状態を点線で示した。細腹３は以下のように設計する。
【００２５】
図３に示すように、パターンにおける袖ぐりの下部において、袖ぐりを曲線状に窪ませずに、後身頃２側から前身頃１側に下向きに傾斜している直線ＡＢを引く。この直線ＡＢを細腹３の上端として、細腹３を描く。そして、袖ぐり下部のこの直線部分に縫い目を設けないために、この直線ＡＢを含む三角形の部分△ＡＢＣを細腹３から取り除く。従って、細腹３として裁断されるパターンは直線ＡＣより下方の部分となる。
【００２６】
一方、内袖５はその袖つけ線を直線ＡＢとする。すなわち、図２に示した従来の内袖５よりも、袖つけ幅が狭くなる。そして、内袖５の袖つけ線ＡＢに細腹３で取り除いた三角形部分△ＡＢＣを延長部として取付ける。図３（ｂ）における垂直線および水平線は生地を裁断する際の生地の地の目（経糸、緯糸）の方向であり、図に示すように、三角形部分△ＡＢＣはバイアスの状態となり、伸縮性が生じる。
【００２７】
また、図４に示すように、内袖５は従来の内袖５に比較すると斜線の部分がなくなっており、すなわち、符号ＢＤで示した袖つけ長さ分が短くなっている。このため、外袖４に短くなった袖つけ長さ分ＢＤに相当する長さ分ＥＦを外袖４の袖つけ線に付け加えて、外袖４の修正したパターンを作製する。
【００２８】
このように、修正した外袖４と内袖５とが図３（ｂ）に示されており、これら外袖４と内袖５とを縫合したものが図３（ｃ）に示されている。図３（ｃ）に示すように、本発明のこの実施例では、従来の袖とは異なって、三角形部分△ＡＢＣが突出した状態である。この内袖５の三角形部分△ＡＢＣが細腹３の直線ＡＣの箇所に縫合わされ、△ＡＢＣのＢＣが後身頃２と縫合わされる。
【００２９】
以上のように、作図したパターンに基いて、従来と同様に、生地を裁断し、縫製することにより本発明の上衣を製作することができる。
【００３０】
図５は図３に示したパターンを図２に示したものと同様に表現したものであり、外袖４と内袖５を黒く表わしている。図５（ａ）に示すように、内袖４の三角形部分△ＡＢＣは細腹３の取り除いた三角形部分に一致し、細腹３の一部を構成するものである。
【００３１】
図６（ａ）は袖４、５を黒くしていないが図５（ａ）と同じものであるが、図６（ｂ）、（ｃ）および（ｄ）に示した他の実施例と比較しやすいように示している。図６（ｂ）の実施例では、三角形部分△ＡＢＣを内袖５の延長部分とした点は前述した実施例と同じであるが、細腹３における点Ｃの位置が前身頃１側としていることで異なっている。
【００３２】
図６（ｃ）の実施例では内袖５から三角形部分を取り除き、細腹３に延長部分として三角形部分△ＡＢＣを取付けている。図６（ｄ）は（ｃ）と同様に細腹３に三角形の延長部分△ＡＢＣを取付けているが、内袖５における点Ｃの位置が反対になっている。
【符号の説明】
【００３３】
１  前身頃
２  後身頃
３  細腹
４  外袖
５  内袖
ＡＢ  直線
△ＡＢＣ  三角形部分
ＢＤ  短くなった内袖の袖つけ長さ分
【要約】
【課題】  外観が一般的な上衣で、腕の前方挙上に適した運動量を有する上衣を提供する。
【解決手段】  パターンにおける袖ぐりの下部を曲線状に窪ませずに直線（ＡＢ）とし、該直線を細腹（３）の上端とし、前記直線は後身頃（２）側から前身頃（１）側に下向きに傾斜しており、内袖（５）の袖つけ線を前記直線とし、細腹または内袖から前記直線を含む三角形部分（△ＡＢＣ）を取り除き、該三角形部分を内袖または細腹における直線から延長部として取付けた状態として、細腹および内袖の修正したパターンを作製し、内袖の袖つけ幅が狭くなったために短くなった内袖の袖つけ長さ分を外袖（５）の袖つけ線に付け加えて外袖の修正したパターンを作製し、前身頃および後身頃のパターンとともに修正した細腹、内袖および外袖のパターンに基いて生地を裁断、縫製する。【図１】
0005462422.tif 000002
【図２】
0005462422.tif 000003
【図３】
0005462422.tif 000004
【図４】
0005462422.tif 000005
【図５】
0005462422.tif 000006
【図６】
0005462422.tif 000007